(57)【要約】【課題】所定中間段の床台を通常の階段状の使用位置まで前進移動させず前進途中の位置で停止させて、その所定中間段の床台の倒したままにする椅子の汚れを防止したり座のみを有する椅子を使用可能にしたりするとともに、利用可能な床面を拡げることにある。【解決手段】複数個の椅子を装着もしくは載置されるとともに、車輪を有して床面上を前後移動可能とされた、互いに高さの異なる複数段の床台を互いに掛合させて、互いに階段状にずれる使用位置と互いに上下方向に整列する待機位置との間で進退移動させる移動観覧席において、前記複数段の床台のうち所定中間段の床台が、その所定中間段の床台より上の床台に対し階段状の使用位置への距離より短い距離だけ進出した状態で、前記所定中間段の床台と掛合してその床台を前記床面に対し停止させておく、前記床面に対し固定された中間段停止装置を具えることを特徴とする移動観覧席である。【選択図】図４
2014145187.tif 000002
【特許請求の範囲】
【請求項１】
複数個の椅子を装着もしくは載置されるとともに、車輪を有して床面上を前後移動可能とされた、互いに高さの異なる複数段の床台を互いに掛合させて、互いに階段状にずれる使用位置と互いに上下方向に整列する待機位置との間で進退移動させる移動観覧席において、
前記複数段の床台のうち所定中間段の床台が、その所定中間段の床台より上の床台に対し階段状の使用位置への距離より短い距離だけ進出した状態で、前記所定中間段の床台と掛合してその床台を前記床面に対し停止させておく、前記床面に対し固定された中間段停止装置を具えることを特徴とする移動観覧席。
【請求項２】
前記中間段停止装置は、前記所定中間段の床台の一段上の床台が前記待機位置に位置した状態で、前記所定中間段の床台の一段上の床台とも掛合してその床台を前記床面に対し停止させておくものであることを特徴とする、請求項１記載の移動観覧席。
【請求項３】
前記中間段停止装置は、
前記床面に対し固定された支持部材と、
前記支持部材に昇降移動可能に支持されて前記床台の移動方向と直角な水平方向へ延在する掛合部材と、
前記掛合部材を上昇位置と下降位置とに選択的に停止可能に昇降移動させる掛合部材昇降機構と、を具え、
前記所定中間段の床台は、その床台の後端部に設けられて、その所定中間段の床台がそれより上の床台に対し階段状の使用位置への距離より短い距離だけ進出した状態で、前記下降位置に下降した掛合部材と掛合する短距離進出用掛合部を具えることを特徴とする、請求項１記載の移動観覧席。
【請求項４】
前記所定中間段の床台の一段上の床台は、その床台の後端部に設けられて、その床台が前記待機位置に位置した状態で、前記下降位置に下降した掛合部材と掛合する待機用掛合部をさらに具えることを特徴とする、請求項３記載の移動観覧席。
【発明の詳細な説明】
【技術分野】
【０００１】
この発明は、複数個の椅子を装着もしくは載置されるとともに、車輪を有して床面上を前後移動可能とされた、互いに高さの異なる複数段の床台を互いに掛合させて、互いに階段状にずれる使用位置と互いに上下方向に整列する待機位置との間で進退移動させる移動観覧席に関し、特には、最下段から中間段までの床台を使用位置とした状態でその中間段の床台を床面に対し停止させる中間段停止装置を具える移動観覧席に関するものである。
【背景技術】
【０００２】
上述の如き移動観覧席としては従来、例えば特許文献１にて開示された自動式のものや、特許文献２にて開示された手動式のものが知られている。特許文献１にて開示された自動式の移動観覧席は、各々複数個の椅子を装着された、互いに高さの異なる複数段の床台を具え、各床台は車輪を有して床面上を前後移動可能とされ、また、最上段となる最後部の床台と最下段となる最前部の床台とにはそれぞれその左右の部分にモータでキャタピラを駆動して床台を前後移動させる観覧席駆動装置が設けられている。
【０００３】
この移動観覧席を使用する際には、複数段の床台が互いに上下方向に整列する待機位置から、観覧席駆動装置によって最下段の床台を最上段の床台に対し相対的に前進移動させ、これにより複数段の床台が、互いに前後方向にずれた位置で順次に掛合して全体的に互いに階段状にずれる使用位置に移動し、その使用位置に移動した後に、床台上の各椅子を起して着座可能とする。また、この移動観覧席を格納する際には、その階段状の使用位置から、観覧席駆動装置によって最下段の床台を最上段の床台に対し相対的に後退移動させ、これにより複数段の床台が、先の掛合を解除した後互いに上下方向に整列した位置で順次に掛合して全体的に互いに上下方向に整列する待機位置に後退移動し、その待機位置に後退移動させる際に、床台上の各椅子を前方に倒して床台間等に収納する。
【０００４】
この一方、特許文献２にて開示された手動式の移動観覧席は、各々複数個の椅子を装着された、互いに高さの異なる複数段の床台を具え、各床台は車輪を有して床面上を前後移動可能とされ、最下段の床台の前端部には、上端部を前後方向揺動可能に支持されてスカート板が設けられ、その最下段の床台には、スカート板を手前に上げるとそれに連動して車輪の制動を解除するとともにその上の床段との掛合を解除する制動装置が設けられている。
【０００５】
この移動観覧席を使用する際には、先ずスカート板を手前に上げて最下段の床台の車輪の制動を解除した後、複数段の床台が互いに上下方向に整列する待機位置から、人手によって最下段の床台を最上段の床台に対し相対的に前進移動させ、これにより複数段の床台が、互いに前後方向にずれた位置で順次に掛合して全体的に互いに階段状にずれる使用位置に移動し、その使用位置に移動した後に、床台上の各椅子を起して着座可能とする。また、この移動観覧席を格納する際には、その階段状の使用位置から、先ずスカート板を手前に上げて最下段の床台の車輪の制動を解除するとともにその上の床段との掛合を解除した後、人手によって最下段の床台を最上段の床台に対し相対的に後退移動させ、これにより複数段の床台が、先の掛合を解除した後互いに上下方向に整列した位置で順次に掛合して全体的に互いに上下方向に整列する待機位置に後退移動し、その待機位置に後退移動させる際に、床台上の各椅子を前方に倒して床台間等に収納する。
【先行技術文献】
【特許文献】
【０００６】
【特許文献１】特開２００３−１５５８２８号公報
【特許文献２】特許第３９１３２５６号公報
【発明の概要】
【発明が解決しようとする課題】
【０００７】
ところで、移動観覧席においては、移動観覧席の最下段からある程度の高さの中間段までの床台を階段状の使用位置に前進移動させてそれらの床台上の椅子を使用可能とするとともに、上方の床台を上下方向に整列させて待機位置に位置させておくことで、床面をある程度空けて利用可能にしつつ観覧席もある程度確保したい場合があり、その場合には、前進移動させる床台のうち最上段となる所定中間段の床台上の椅子は倒したままにしておくことで、その所定中間段の床台の一段下の床台上の椅子の背やその椅子への着座者の頭部と、待機位置に位置させる上方の床台の前端部との干渉を防止することが望ましいが、上記所定中間段の床台を通常の階段状の使用位置まで前進移動させる一方で、その所定中間段の床台上の椅子を倒したままにしておくと、子供等がその椅子の上を歩きまわったりしてしまい、椅子が汚れるという不都合があった。また、椅子を使用できない床台を通常の階段状の使用位置まで前進移動させておくのでは、利用可能な床面が不必要に狭まるという不都合もあった。
【０００８】
また、移動観覧席の種類によっては、背や肘がなく座のみを有する椅子を各床台の前端部に具えるものもあって、このような移動観覧席においても、移動観覧席の最下段からある程度の高さの中間段までの床台を階段状の使用位置に前進移動させてそれらの床台上の椅子を使用可能とするとともに、上方の床台を上下方向に整列させて待機位置に位置させておくことで、床面をある程度空けて利用可能にしつつ観覧席もある程度確保したい場合があり、その場合には、前進移動させる床台のうち最上段となる所定中間段の床台を通常の階段状の使用位置まで前進移動させておくのでは、利用可能な床面が不必要に狭まるという不都合もあった。
【０００９】
そこで本発明者は、上記所定中間段の床台を通常の階段状の使用位置まで前進移動させず前進途中の位置で停止させて、倒したままにする椅子の汚れを防止したり座のみを有する椅子を使用可能にしたりするとともに利用可能な床面を拡げることを検討したが、上記従来の移動観覧席は自動式も手動式も何れも、中間段の床台を前進途中の位置で床面に対し動かないように停止させておく構成を具えていないことから、上記所定中間段の床台を前進途中の位置で停止させると、その所定中間段の床台より下の、階段状の使用位置まで前進移動させた各床台が観客の歩行等によって前後に揺れ動き易く、このため床台上の椅子に着座している観客等に充分な安定感を与えにくいという問題があった。
【課題を解決するための手段】
【００１０】
この発明は、上記従来の移動観覧席の課題を有利に解決するものであり、この発明の移動観覧席は、複数個の椅子を装着もしくは載置されるとともに、車輪を有して床面上を前後移動可能とされた、互いに高さの異なる複数段の床台を互いに掛合させて、互いに階段状にずれる使用位置と互いに上下方向に整列する待機位置との間で進退移動させる移動観覧席において、
前記複数段の床台のうち所定中間段の床台が、その所定中間段の床台より上の床台に対し階段状の使用位置への距離より短い距離だけ進出した状態で、前記所定中間段の床台と掛合してその床台を前記床面に対し停止させておく、前記床面に対し固定された中間段停止装置を具えることを特徴としている。
【発明の効果】
【００１１】
上述したこの発明の移動観覧席にあっては、複数個の椅子を装着もしくは載置されるとともに、車輪を有して床面上を前後移動可能とされた、互いに高さの異なる複数段の床台が、最下段の床台の前進移動により互いに前後方向にずれた位置で順次に掛合して互いに階段状にずれる使用位置に前進移動し、また最下段の床台の後退移動により先の掛合を解除した後互いに上下方向に整列した位置で順次に掛合して互いに上下方向に整列する待機位置に後退移動する。そして互いに階段状にずれる使用位置に前進移動する際、前記複数段の床台のうち所定中間段の床台が、その所定中間段の床台より上の床台に対し階段状の使用位置への距離より短い距離だけ進出した前進途中の位置で、床面に対し固定された中間段停止装置がその所定中間段の床台と掛合してその床台を前記床面に対し動かないように停止（すなわち掛止）させておく。
【００１２】
従って、この発明の移動観覧席によれば、移動観覧席の最下段から所定中間段の床台の一段下のまでの床台を階段状の使用位置に進出させて、それらの床台上の椅子を使用可能とするとともに、所定中間段より上の床台を上下方向に整列させて待機位置に待機させておくことで、床面をある程度空けて利用可能にしつつ観覧席もある程度確保することができ、また、その所定中間段の床台上の椅子を倒したままにしつつ、その所定中間段の床台をそれより上の床台に対し階段状の使用位置への距離より短い距離だけ進出した前進途中位置で停止させておくことで、その所定中間段の一段下の床台上の椅子の背やその椅子への着座者の頭部と、その所定中間段より上の床台の前端部との干渉を防止するとともに、その所定中間段の床台上の倒したままの椅子の汚れを防止し、あるいはその所定中間段の床台をそれより上の床台に対し階段状の使用位置への距離より短い距離だけ進出した前進途中位置で停止させておくことで、その所定中間段の床台上の、背や肘がなく座のみを有する椅子も使用可能するとともに、利用可能な床面をできるだけ広くすることができ、しかも、床面に対し固定された中間段停止装置が、その所定中間段の床台を前進途中位置で床面に対し動かないように停止させておくので、その所定中間段の床台より下の、階段状の使用位置まで前進移動させた各床台が観客の歩行等によって前後に揺れ動くことがなく、それゆえ床台上の椅子に着座している観客等に充分な安定感を与えることができる。
【００１３】
なお、この発明の移動観覧席においては、前記中間段停止装置は、前記所定中間段の床台の一段上の床台が前記待機位置に位置した状態で、前記所定中間段の床台の一段上の床台とも掛合してその床台を前記床面に対し停止させておくものでもよい。
【００１４】
また、この発明の移動観覧席においては、前記中間段停止装置は、
前記床面に対し固定された支持部材と、
前記支持部材に昇降移動可能に支持されて前記床台の移動方向と直角な水平方向へ延在する掛合部材と、
前記掛合部材を上昇位置と下降位置とに選択的に停止可能に昇降移動させる掛合部材昇降機構と、
を有し、
前記所定中間段の床台は、その後端部に設けられて、その所定中間段の床台がそれより上の床台に対し階段状の使用位置への距離より短い距離だけ進出した状態で、前記下降位置に下降した掛合部材と掛合する短距離進出用掛合部を有していてもよい。
【００１５】
そして、この発明の移動観覧席においては、前記所定中間段の床台の一段上の床台は、その後端部に設けられて、その床台が前記待機位置に位置した状態で、前記下降位置に下降した掛合部材と掛合する待機用掛合部を有していてもよい。
【００１６】
ここで、前記掛合部材の昇降移動は直線移動に限られず曲線移動や揺動でもよい。また前記短距離進出用掛合部や前記待機用掛合部は、前記床台の床部の後端部に設けられてもよく、その床部を支持する支柱や、その支柱を支持するとともに車輪を有して床台の前後方向へ延在する脚の後端部に設けられてもよい。
【図面の簡単な説明】
【００１７】
【図１】（ａ），（ｂ）は、この発明の移動観覧席の一実施例をその複数段の床台が全体的に互いに階段状にずれた進出位置にある状態で示す平面図および側面図である。
【図２】上記複数段の床台が全体的に互いに階段状にずれた進出位置にある状態での上記実施例の移動観覧席の脚の配置を示す平面図である。
【図３】（ａ），（ｂ）は、上記実施例の移動観覧席をその複数段の床台が全体的に互いに上下方向に整列した後退位置にある状態で示す側面図および、その状態での上記実施例の移動観覧席の脚の配置を示す平面図である。
【図４】（ａ），（ｂ）は、上記実施例の移動観覧席をその複数段の床台のうち所定中間段の床台の一段下の床台までが互いに階段状にずれた進出位置にある状態で示す平面図および側面図である。
【図５】上記複数段の床台のうち所定中間段の床台の一段下の床台までが互いに階段状にずれた進出位置にある状態での上記実施例の移動観覧席の脚の配置を示す平面図である。
【図６】（ａ），（ｂ）は、上記実施例の移動観覧席における中間段停止装置の構成を拡大して示す側面図および背面図である。
【図７】上記中間段停止装置の作動を示す説明図である。
【発明を実施するための形態】
【００１８】
以下、この発明の実施の形態を図面に基づく実施例によって詳細に説明する。ここに、図１（ａ），（ｂ）は、この発明の移動観覧席の一実施例をその複数段の床台が全体的に互いに階段状にずれた進出位置にある状態で示す平面図および側面図であり、図２は、上記複数段の床台が全体的に互いに階段状にずれた進出位置にある状態での上記実施例の移動観覧席の脚の配置を示す平面図であり、図３（ａ），（ｂ）は、上記実施例の移動観覧席をその複数段の床台が全体的に互いに上下方向に整列した後退位置にある状態で示す側面図および、その状態での上記実施例の移動観覧席の脚の配置を示す平面図である。
【００１９】
この実施例の移動観覧席は、各々複数個の椅子１を起倒可能に装着された複数段（図示例では１０段）の床台２と、椅子１を装着されていない最上段の床台２とを具え、各床台２は、その床台２の左右方向複数箇所（図示例では最下段７箇所、下から２段目以降４箇所）にて前後方向（図１では左右方向）へ延在する脚３と、最上段を除いて椅子１を支持する床部４と、脚３の後部上に立設されて床部４の後端部を支持する支柱５と、脚３に設けられた複数の車輪６とを有し、それらの車輪６によって体育館等の設置場所Ｐの床面Ｆ上を前後移動可能とされている。
【００２０】
また、この実施例の移動観覧席は、設置場所Ｐの後部壁面に設けられた移動観覧席収容凹部Ｐの内部の床面Ｆ上に固設されて前後方向へ延在する複数本のガイドレール７を具え、図２および図３（ｂ）に示すように、最下段の床台２の中央および両端部の３箇所の脚３と最上段の床台２の４箇所の脚３とを除き、各脚３は隣り合う脚３によって前後方向への進退移動を案内され、最上段の床台２の４箇所の脚３はそれぞれ、ガイドレール７によって前後方向への進退移動を案内される。なお、ガイドレール７には最上段の床台２の脚３から側方に突出する掛合部と掛合してその脚３の前進限位置と後退限位置とをそれぞれ調節可能に特定する図示しない二つのストッパが設けられている。
【００２１】
さらに、この実施例の移動観覧席は、上記移動観覧席収容凹部Ｐの内部の床面Ｆ上の左右の部分に、モータでドラムを回転させて、板状連結片を多数繋いだ板状チェーン８の繰出しと巻取りとを行い、それらの板状チェーン８の先端部に接続した最下段の床台２を床面Ｆ上で進退移動させる観覧席駆動装置９を具えている。
【００２２】
ここで、複数の床台２は、互いに床部４の高さが異なるとともに、各々、図示しないがその床台２の脚３から側方に突出する掛合部および、下の段の床台２の対応する掛合部と掛合して当該脚３に対する下の段の床台２の脚３の前進限位置と後退限位置とをそれぞれ調節可能に特定する前後二つの掛合受け部が設けられていて、最下段の床台２が観覧席駆動装置９によって駆動されて床面Ｆ上を前進移動すると、互いに前後方向にずれた位置で順次に掛合部と前側掛合受け部とが掛合して次々に引き出されて、図１（ａ），（ｂ）に示すように、全体的に互いに階段状にずれる使用位置に展開移動し、その使用位置に前進移動させた後は、各床台２上の各椅子１を後方に起して着座可能にする。
【００２３】
また、最下段の床台２が観覧席駆動装置９によって駆動されて床面Ｆ上を後退移動すると、先の掛合部と前側掛合受け部との掛合を解除した後互いに上下方向に整列した位置で順次に掛合部と後側掛合受け部とが掛合して次々に押し戻されて、図３（ａ），（ｂ）に示すように、移動観覧席収容凹部Ｐの内部で互いに上下方向に整列する待機位置に全体として後退移動し、その待機位置に後退移動させる際は、各床台２上の各椅子１を前方に倒して床台２間に収納する。
【００２４】
最上段の床台２を除く各床台２の左右方向（図１（ａ）では上下方向）両端部には、外向き（床台２の端部から離れる方向）に傾斜した支柱を持つ手摺１０が設けられ、これにより、床台２を待機位置に後退移動させると、最下段から６段目までの床台２の手摺１０も上下方向に整列して位置する。一方、最下段から７段目から１０段目までの床台２の手摺１０は、移動観覧席収容凹部Ｐの天井との干渉を避けるため、床台２を待機状態に後退移動させる際は床台２から取り外される。
【００２５】
さらに、この実施例の移動観覧席は、上記移動観覧席収容凹部Ｐの内部の床面Ｆ上の左右の部分に、図４（ａ），（ｂ）および図５に示すように、互いに階段状にずれる使用位置への前進移動の途中で、上記複数段の床台２のうち所定中間段（図示例では最下段から５段目）の床台２が、その所定中間段の床台２より上の床台２に対し階段状の使用位置への距離（例えば９５０ｍｍ）より短い距離（例えば３００ｍｍ）だけ進出した状態で、上記所定中間段の床台２と掛合してその床台２を床面Ｆに対し停止させておく、床面Ｆ上に固定された中間段停止装置１１を具えている。なお、図４（ａ）では、所定中間段の床台２より上の床台２は、脚３のみ図示して他の部分を省略している。
【００２６】
図６（ａ），（ｂ）は、上記実施例の移動観覧席における中間段停止装置１１の構成を拡大して示す側面図および背面図、そして図７は、上記中間段停止装置１１の作動を示す説明図であり、この中間段停止装置１１は、床面Ｆに対し立設固定された例えば門型の支持部材１２と、その支持部材１２の両側部に形成されて上下方向へ延在する長穴１２ａに両端部を挿通されることでその支持部材１２に昇降移動可能に案内および支持されて床台２の移動方向と直角な水平方向である床台２の左右方向へ延在する例えば丸パイプからなる掛合部材１３と、その掛合部材１３の両端部を支持する例えばコ字状のブラケット１４と支持部材１２の上部とにロッドと本体とをそれぞれ連結されてそのロッドを本体に対し伸縮させることで掛合部材１３を図示の上昇位置と下降位置とに選択的に停止可能に昇降移動させる、例えばモータ駆動のボールネジ式直線移動機構からなる掛合部材昇降機構１５とを具えており、図示の上昇位置および下降位置への掛合部材１３の到達は、それらの位置での掛合部材１３に作動腕が当接して作動するように支持部材１２に設けられた例えば２個のマイクロスイッチによって検出される。
【００２７】
また、この実施例の移動観覧席は、上記所定中間段（図示例では最下段から５段目）の床台２の４箇所の脚３のうち外側の、他の脚３より支持部材１２までの距離プラス上記短い距離分延長された２本の脚３の後端部上に突設されて、その所定中間段の床台２がそれより上の床台２に対し上述した階段状の使用位置への距離より短い距離だけ進出した状態で、下降位置に下降した掛合部材１３と支持部材１２の内側で掛合する短距離進出用掛合部１６と、上記所定中間段の床台２の一段上の床台２の４箇所の脚３のうち外側の、他の脚３より支持部材１２までの距離分延長された２本の脚３の後端部上に突設されて、その床台２が上記待機位置に位置した状態で、下降位置に下降した掛合部材１３と支持部材１２の内側で掛合する待機用掛合部１７とを具えており、短距離進出用掛合部１６と待機用掛合部１７とはそれぞれ、掛合部材１３と掛合する際の衝撃を吸収する弾性パッド１８を有している。なお、図６（ａ）では、待機用掛合部１７を持つ脚３は図示を省略している。
【００２８】
かかる中間段停止装置１１にあっては、図３（ａ），（ｂ）に示すように、複数の床台２を、上記移動観覧席収容凹部Ｐ内の待機位置に位置させて待機状態としている際には、上記所定中間段（図示例では最下段から５段目）の床台２の２本の脚３と、上記所定中間段の床台２の一段上の床台２の２本の脚３とはそれぞれ、左右の中間段停止装置１１の支持部材１２内を前後方向に貫通しており、上記所定中間段の床台２の２本の脚３の後端部上に突設された短距離進出用掛合部１６と、上記所定中間段の床台２の一段上の床台２の２本の脚３の後端部上に突設されて待機用掛合部１７とはそれぞれ、掛合部材１３の後方に位置している。
【００２９】
そしてこの待機状態から、図１（ａ），（ｂ）に示すように、複数の床台２を、全体的に互いに階段状にずれる使用位置に展開移動させる際には、掛合部材昇降機構１５が掛合部材１３を上昇位置に位置させ、これにより、上記所定中間段の床台２の２本の脚３の後端部の短距離進出用掛合部１６と、上記所定中間段の床台２の一段上の床台２の２本の脚３の後端部の待機用掛合部１７とは、掛合部材１３と掛合せず、図２に示すように、支持部材１２の内側を通って前方へ移動して、その所定中間段の床台２はそれより一段上の床台２に対し、またその一段上の床台２もそれよりさらに一段上の床台２に対し、それぞれ階段状の使用位置への距離（例えば９５０ｍｍ）だけ進出した状態となる。
【００３０】
また上記の待機状態から、図４（ａ），（ｂ）に示すように、複数の床台２のうち上記所定中間段（図示例では最下段から５段目）の床台２より下の床台２を、互いに階段状にずれる使用位置に展開移動させとともに、その所定中間段の床台２をその床台２より上の床台３に対し階段状の使用位置への距離より短い距離だけ進出した前進途中の位置に止め、その所定中間段の床台２より上の床台２を待機位置に止める際には、各床台２の前進移動の前に掛合部材昇降機構１５が、図７中に矢印で示すように、掛合部材１３を下降させて下降位置に位置させておき、これにより、上記所定中間段の床台２の２本の脚３の後端部の短距離進出用掛合部１６と、上記所定中間段の床台２の一段上の床台２の２本の脚３の後端部の待機用掛合部１７とが、図５に示すように、支持部材１２の内側でそれぞれ掛合部材１３と掛合して前進移動を阻止され、その所定中間段の床台２は、それより一段上の床台２に対し階段状の使用位置への距離（例えば９５０ｍｍ）より短い距離（例えば３００ｍｍ）だけ進出した状態で床面Ｆに対し停止しておかれた状態となり、その一段上の床台２は、上記移動観覧席収容凹部Ｐ内の待機位置でそれよりさらに上の床台２と上下方向に整列して、床面Ｆに対し停止しておかれた状態となる。
【００３１】
このとき観覧席駆動装置９は、上記ドラムに設けられたエンコーダの、そのドラムの回転角度を示す出力信号に基づく板状チェーン８の繰出し長さから、所定中間段の床台２の上記短い距離の進出を検知して、最下段の床台２を多少前方へ押圧した状態で作動を停止し、最下段の床台２から所定中間段の床台２までは階段状の使用位置へ前進した状態で互いに掛合しているので、最下段の床台２から所定中間段の床台２まではそれぞれ階段状の使用位置に停止しておかれた状態となる。また所定中間段の床台２より一段上の床台２から最上段の床台２までは、後退移動時に上下方向へ整列した状態で互いに掛合しているので、所定中間段の床台２より一段上の床台２から最上段の床台２まではそれぞれ上下方向へ整列した状態で上記移動観覧席収容凹部Ｐ内の待機位置に停止しておかれた状態となる。
【００３２】
従って、この実施例の移動観覧席によれば、移動観覧席の最下段から所定中間段の床台２の一段下のまでの床台２を階段状の使用位置に進出させて、それらの床台２上の椅子１を使用可能とするとともに、所定中間段より上の床台２を上下方向に整列させて待機位置に待機させておくことで、床面Ｆをある程度空けて利用可能にしつつ観覧席もある程度確保することができ、また、その所定中間段の床台２上の椅子１を倒したままにしつつ、その所定中間段の床台２をそれより上の床台２に対し階段状の使用位置への距離より短い距離だけ進出した前進途中位置で停止させておくことで、その所定中間段の一段下の床台２上の椅子１の背やその椅子１への着座者の頭部と、その所定中間段より上の床台２の前端部との干渉を防止するとともに、その所定中間段の床台２上の倒したままの椅子１の汚れを防止し、かつ利用可能な床面Ｆをできるだけ広くすることができ、しかも、床面Ｆに固定された中間段停止装置１１が、その所定中間段の床台２と掛合してその床台２を前進途中位置で床面Ｆに対し動かないように停止させておくので、その所定中間段の床台２より下の、階段状の使用位置まで前進移動させた各床台２が観客の歩行等によって前後に揺れ動くことがなく、それゆえ床台２上の椅子１に着座している観客等に充分な安定感を与えることができる。
【００３３】
さらにこの実施例の移動観覧席によれば、最下段から所定中間段の床台２の一段下のまでの床台２を階段状の使用位置に進出させる際に、床面Ｆに固定された中間段停止装置１１が、その所定中間段の床台２の一段上の床台２と掛合してその床台２を待機位置で床面Ｆに対し動かないように停止させておくので、所定中間段の床台２より一段上の床台２から最上段の床台２までをそれぞれ移動観覧席収容凹部Ｐ内の待機位置に動かないように停止させておくことができる。
【００３４】
以上、図示例に基づき説明したが、この発明は上述の例に限定されるものでなく、特許請求の範囲の記載範囲内で適宜変更し得るものであり、例えば、上記実施例では短距離進出用掛合部１６と待機用掛合部１７とをそれぞれ脚３の後端部上に突設しているが、これに代えて床台２の床部４の後端部や支柱５の後面から後方へ突出する部材に設けてもよく、その場合には中間段停止装置１１を、上記実施例では床面Ｆ上に固定しているが、これに代えて移動観覧席収容凹部Ｐ内の後壁の、それら短距離進出用掛合部１６と待機用掛合部１７とに対応する高さの位置に取り付けることで床面Ｆに対し固定してもよい。
【００３５】
また、上記実施例では移動観覧席は１１段の床台２を具えているが、床台２の段数はこれに限定されず、これより多くても少なくてもよく、階段状の使用位置への距離も９５０ｍｍに限定されず、これより長くても短くてもよく、階段状の使用位置への距離より短い距離も３００ｍｍに限定されず、これより長くても短くてもよい。そして中間段停止装置１１は、上記実施例では直線的に延在する長穴に沿って掛合部材１２を昇降移動させているが、これに限られず、直線的に延在するガイドに沿って直線移動させたり、円弧状等の曲線的に延在する穴やガイドに沿って曲線移動させたり、揺動腕で支持して所定軸線周りに揺動させることで昇降移動させたりするものでもよく、その掛合部材昇降機構１５も、上記実施例ではモータ駆動のボールネジ式直線移動機構としてが、これに代えてカムやリンク部材等を回動させて掛合部材１２を移動させるものとしてもよい。
【００３６】
さらに、この発明の移動観覧席においては、所定中間段の床台２を前進途中位置まで前進移動させる際に、所定中間段の床台２の一段上の床台２を待機位置で停止させておくために、待機用掛合部１７用の別個の中間段停止装置１１を設けたり、待機用掛合部１７と中間段停止装置１１とに代る別の構成の停止装置を設けたりしてもよい。
【００３７】
そして、この発明の移動観覧席は、背や肘がなく座のみを有する椅子を各床台の前端部に具えるものもあってもよい。
【産業上の利用可能性】
【００３８】
かくしてこの発明の移動観覧席によれば、移動観覧席の最下段から所定中間段の床台の一段下のまでの床台を階段状の使用位置に進出させて、それらの床台上の椅子を使用可能とするとともに、所定中間段より上の床台を上下方向に整列させて待機位置に待機させておくことで、床面をある程度空けて利用可能にしつつ観覧席もある程度確保することができ、また、その所定中間段の床台上の椅子を倒したままにしつつ、その所定中間段の床台をそれより上の床台に対し階段状の使用位置への距離より短い距離だけ進出した前進途中位置で停止させておくことで、その所定中間段の一段下の床台上の椅子の背やその椅子への着座者の頭部と、その所定中間段より上の床台の前端部との干渉を防止するとともに、その所定中間段の床台上の倒したままの椅子の汚れを防止し、あるいはその所定中間段の床台をそれより上の床台に対し階段状の使用位置への距離より短い距離だけ進出した前進途中位置で停止させておくことで、その所定中間段の床台上の、背や肘がなく座のみを有する椅子も使用可能するとともに、利用可能な床面をできるだけ広くすることができ、しかも、床面に対し固定された中間段停止装置が、その所定中間段の床台を前進途中位置で床面に対し動かないように停止させておくので、その所定中間段の床台より下の、階段状の使用位置まで前進移動させた各床台が観客の歩行等によって前後に揺れ動くことがなく、それゆえ床台上の椅子に着座している観客等に充分な安定感を与えることができる。
【符号の説明】
【００３９】
１  椅子
２  床台
３  脚
４  床部
５  支柱
６  車輪
７  ガイドレール
８  板状チェーン
９  観客席駆動装置
１０  手摺
１１  中間段停止装置
１２  支持部材
１２ａ  長穴
１３  掛合部材
１４  ブラケット
１５  掛合部材昇降機構
１６  短距離進出用掛合部
１７  待機用掛合部
１８  弾性パッド
Ｆ    床面
Ｐ    移動観覧席収容凹部
【図１】
2014145187.tif 000003
【図２】
2014145187.tif 000004
【図３】
2014145187.tif 000005
【図４】
2014145187.tif 000006
【図５】
2014145187.tif 000007
【図６】
2014145187.tif 000008
【図７】
2014145187.tif 000009
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
複数個の椅子を装着もしくは載置されるとともに、車輪を有して床面上を前後移動可能とされた、互いに高さの異なる複数段の床台を互いに掛合させて、前記複数段の床台のうち最下段の床台を進退駆動する観覧席駆動装置により前記複数段の床台を互いに階段状にずれる使用位置と互いに上下方向に整列する待機位置との間で進退移動させる移動観覧席において、
前記複数段の床台のうち所定中間段の床台が、その所定中間段の床台より上の床台に対し階段状の使用位置への距離より短い距離だけ進出した状態で、前記所定中間段の床台と掛合して、その所定中間段の床台を前記床面に対し停止させるとともに、その所定中間段の床台よりも下の床台を前記観覧席駆動装置との共働で互いに階段状にずれる使用位置に停止させておく、前記床面に対し固定された中間段停止装置を具えることを特徴とする移動観覧席。
【請求項２】
前記中間段停止装置は、前記所定中間段の床台の一段上の床台が前記待機位置に位置した状態で、前記所定中間段の床台の一段上の床台とも掛合してその床台を前記床面に対し停止させておくものであることを特徴とする、請求項１記載の移動観覧席。
【請求項３】
前記中間段停止装置は、
前記床面に対し固定された支持部材と、
前記支持部材に昇降移動可能に支持されて前記床台の移動方向と直角な水平方向へ延在する掛合部材と、
前記掛合部材を上昇位置と下降位置とに選択的に停止可能に昇降移動させる掛合部材昇降機構と、を具え、
前記所定中間段の床台は、その床台の後端部に設けられて、その所定中間段の床台がそれより上の床台に対し階段状の使用位置への距離より短い距離だけ進出した状態で、前記下降位置に下降した掛合部材と掛合する短距離進出用掛合部を具えることを特徴とする、請求項１記載の移動観覧席。
【請求項４】
前記所定中間段の床台の一段上の床台は、その床台の後端部に設けられて、その床台が前記待機位置に位置した状態で、前記下降位置に下降した掛合部材と掛合する待機用掛合部をさらに具えることを特徴とする、請求項３記載の移動観覧席。
【手続補正２】
【補正対象書類名】明細書
【補正対象項目名】００１０
【補正方法】変更
【補正の内容】
【００１０】
この発明は、上記従来の移動観覧席の課題を有利に解決するものであり、この発明の移動観覧席は、複数個の椅子を装着もしくは載置されるとともに、車輪を有して床面上を前後移動可能とされた、互いに高さの異なる複数段の床台を互いに掛合させて、前記複数段の床台のうち最下段の床台を進退駆動する観覧席駆動装置により前記複数段の床台を互いに階段状にずれる使用位置と互いに上下方向に整列する待機位置との間で進退移動させる移動観覧席において、
前記複数段の床台のうち所定中間段の床台が、その所定中間段の床台より上の床台に対し階段状の使用位置への距離より短い距離だけ進出した状態で、前記所定中間段の床台と掛合してその所定中間段の床台を前記床面に対し停止させるとともに、その所定中間段の床台よりも下の床台を前記観覧席駆動装置との共働で互いに階段状にずれる使用位置に停止させておく、前記床面に対し固定された中間段停止装置を具えることを特徴としている。
【手続補正３】
【補正対象書類名】明細書
【補正対象項目名】００１１
【補正方法】変更
【補正の内容】
【００１１】
上述したこの発明の移動観覧席にあっては、複数個の椅子を装着もしくは載置されるとともに、車輪を有して床面上を前後移動可能とされた、互いに高さの異なる複数段の床台が、観覧席駆動装置により駆動される最下段の床台の前進移動により互いに前後方向にずれた位置で順次に掛合して互いに階段状にずれる使用位置に前進移動し、また観覧席駆動装置により駆動される最下段の床台の後退移動により先の掛合を解除した後互いに上下方向に整列した位置で順次に掛合して互いに上下方向に整列する待機位置に後退移動する。そして互いに階段状にずれる使用位置に前進移動する際、前記複数段の床台のうち所定中間段の床台が、その所定中間段の床台より上の床台に対し階段状の使用位置への距離より短い距離だけ進出した前進途中の位置で、床面に対し固定された中間段停止装置が、その所定中間段の床台と掛合してその床台を前記床面に対し動かないように停止（すなわち掛止）させるとともに、その所定中間段の床台よりも下の床台を観覧席駆動装置との共働で互いに階段状にずれる使用位置に停止させておく。
【手続補正４】
【補正対象書類名】明細書
【補正対象項目名】００１２
【補正方法】変更
【補正の内容】
【００１２】
従って、この発明の移動観覧席によれば、移動観覧席の最下段から所定中間段の床台の一段下までの床台を階段状の使用位置に進出させて、それらの床台上の椅子を使用可能とするとともに、所定中間段より上の床台を上下方向に整列させて待機位置に待機させておくことで、床面をある程度空けて利用可能にしつつ観覧席もある程度確保することができ、また、その所定中間段の床台上の椅子を倒したままにしつつ、その所定中間段の床台をそれより上の床台に対し階段状の使用位置への距離より短い距離だけ進出した前進途中位置で停止させておくことで、その所定中間段の一段下の床台上の椅子の背やその椅子への着座者の頭部と、その所定中間段より上の床台の前端部との干渉を防止するとともに、その所定中間段の床台上の倒したままの椅子の汚れを防止し、あるいはその所定中間段の床台をそれより上の床台に対し階段状の使用位置への距離より短い距離だけ進出した前進途中位置で停止させておくことで、その所定中間段の床台上の、背や肘がなく座のみを有する椅子も使用可能するとともに、利用可能な床面をできるだけ広くすることができる。しかも、床面に対し固定された中間段停止装置が、その所定中間段の床台を前進途中位置で床面に対し動かないように停止させておくとともに、その所定中間段の床台よりも下の床台を観覧席駆動装置との共働で互いに階段状にずれる使用位置に停止させておくので、その所定中間段の床台より下の、階段状の使用位置まで前進移動させた各床台が観客の歩行等によって前後に揺れ動くことがなく、それゆえ床台上の椅子に着座している観客等に充分な安定感を与えることができる。
【手続補正５】
【補正対象書類名】明細書
【補正対象項目名】００３２
【補正方法】変更
【補正の内容】
【００３２】
従って、この実施例の移動観覧席によれば、移動観覧席の最下段から所定中間段の床台２の一段下までの床台２を階段状の使用位置に進出させて、それらの床台２上の椅子１を使用可能とするとともに、所定中間段より上の床台２を上下方向に整列させて待機位置に待機させておくことで、床面Ｆをある程度空けて利用可能にしつつ観覧席もある程度確保することができ、また、その所定中間段の床台２上の椅子１を倒したままにしつつ、その所定中間段の床台２をそれより上の床台２に対し階段状の使用位置への距離より短い距離だけ進出した前進途中位置で停止させておくことで、その所定中間段の一段下の床台２上の椅子１の背やその椅子１への着座者の頭部と、その所定中間段より上の床台２の前端部との干渉を防止するとともに、その所定中間段の床台２上の倒したままの椅子１の汚れを防止し、かつ利用可能な床面Ｆをできるだけ広くすることができ、しかも、床面Ｆに固定された中間段停止装置１１が、その所定中間段の床台２と掛合してその床台２を前進途中位置で床面Ｆに対し動かないように停止させておくので、その所定中間段の床台２より下の、階段状の使用位置まで前進移動させた各床台２が観客の歩行等によって前後に揺れ動くことがなく、それゆえ床台２上の椅子１に着座している観客等に充分な安定感を与えることができる。
【手続補正６】
【補正対象書類名】明細書
【補正対象項目名】００３８
【補正方法】変更
【補正の内容】
【００３８】
かくしてこの発明の移動観覧席によれば、移動観覧席の最下段から所定中間段の床台の一段下までの床台を階段状の使用位置に進出させて、それらの床台上の椅子を使用可能とするとともに、所定中間段より上の床台を上下方向に整列させて待機位置に待機させておくことで、床面をある程度空けて利用可能にしつつ観覧席もある程度確保することができ、また、その所定中間段の床台上の椅子を倒したままにしつつ、その所定中間段の床台をそれより上の床台に対し階段状の使用位置への距離より短い距離だけ進出した前進途中位置で停止させておくことで、その所定中間段の一段下の床台上の椅子の背やその椅子への着座者の頭部と、その所定中間段より上の床台の前端部との干渉を防止するとともに、その所定中間段の床台上の倒したままの椅子の汚れを防止し、あるいはその所定中間段の床台をそれより上の床台に対し階段状の使用位置への距離より短い距離だけ進出した前進途中位置で停止させておくことで、その所定中間段の床台上の、背や肘がなく座のみを有する椅子も使用可能するとともに、利用可能な床面をできるだけ広くすることができ、しかも、床面に対し固定された中間段停止装置が、その所定中間段の床台を前進途中位置で床面に対し動かないように停止させておくので、その所定中間段の床台より下の、階段状の使用位置まで前進移動させた各床台が観客の歩行等によって前後に揺れ動くことがなく、それゆえ床台上の椅子に着座している観客等に充分な安定感を与えることができる。